(57)【特許請求の範囲】
【請求項１】
アラーム機能を備える端末装置において、
前記アラーム機能を実行するための所与のアラーム設定情報に基づく前記アラーム機能の起動を設定する設定手段と、
当該端末装置の操作履歴として、前記アラーム機能の操作履歴に関する情報と、前記設定手段によるアラーム機能の起動の設定後からの当該端末装置のアプリケーションの操作履歴に関する情報とを取得する取得手段と、
前記アラーム設定情報を、前記取得手段により取得された操作履歴に応じて変更する変更手段と、
前記変更手段により変更されたアラーム設定情報に基づき前記アラーム機能の実行を制御する制御手段と、
を有し、
前記変更手段は、前記アラーム機能の操作履歴に関する情報が設定変更条件を満たす場合、アラーム設定情報に対してアラーム音量を上げる変更をし、前記アラーム機能の操作履歴に関する情報が設定変更条件を満たさない場合、アラーム設定情報の変更をせず、
その後、
前記アラーム機能の操作履歴に関する情報が設定変更条件を満たす場合であり且つ前記アプリケーションの操作履歴に基づいたアプリケーション操作の最終時刻とアラーム時刻との時間差が第１条件に合致する場合、アラーム音量を上げた状態を維持し、
前記アラーム機能の操作履歴に関する情報が設定変更条件を満たす場合であり且つ前記アプリケーションの操作履歴に基づいたアプリケーション操作の最終時刻とアラーム時刻との時間差が第２条件に合致する場合、アラーム音量を下げる変更をし、
前記アラーム機能の操作履歴に関する情報が設定変更条件を満たさない場合であり且つ前記アプリケーションの操作履歴に基づいたアプリケーション操作の最終時刻とアラーム時刻との時間差が所定時間以内である場合、アラーム設定情報に対してアラーム音量を上げる変更又はアラーム音の種別の変更をする
ことを特徴とする端末装置。
【請求項２】
アラーム機能を備える端末装置によるアラーム制御方法であって、
前記アラーム機能を実行するための所与のアラーム設定情報に基づく前記アラーム機能の起動を設定する設定ステップと、
当該端末装置の操作履歴として、前記アラーム機能の操作履歴に関する情報と、前記設定ステップによるアラーム機能の起動の設定後からの当該端末装置のアプリケーションの操作履歴に関する情報とを取得する取得ステップと、
前記アラーム設定情報を、前記取得ステップにおいて取得された操作履歴に応じて変更する変更ステップと、
前記変更ステップにおいて変更されたアラーム設定情報に基づき前記アラーム機能の実行を制御する制御ステップと、
を含み、
前記変更ステップは、前記アラーム機能の操作履歴に関する情報が設定変更条件を満たす場合、アラーム設定情報に対してアラーム音量を上げる変更をし、前記アラーム機能の操作履歴に関する情報が設定変更条件を満たさない場合、アラーム設定情報の変更をせず、
その後、
前記アラーム機能の操作履歴に関する情報が設定変更条件を満たす場合であり且つ前記アプリケーションの操作履歴に基づいたアプリケーション操作の最終時刻とアラーム時刻との時間差が第１条件に合致する場合、アラーム音量を上げた状態を維持し、
前記アラーム機能の操作履歴に関する情報が設定変更条件を満たす場合であり且つ前記アプリケーションの操作履歴に基づいたアプリケーション操作の最終時刻とアラーム時刻との時間差が第２条件に合致する場合、アラーム音量を下げる変更をし、
前記アラーム機能の操作履歴に関する情報が設定変更条件を満たさない場合であり且つ前記アプリケーションの操作履歴に基づいたアプリケーション操作の最終時刻とアラーム時刻との時間差が所定時間以内である場合、アラーム設定情報に対してアラーム音量を上げる変更又はアラーム音の種別の変更をする
ことを特徴とするアラーム制御方法。
【発明の詳細な説明】
【技術分野】
【０００１】
本発明は、アラーム機能を備える端末装置及びこの端末装置によるアラーム制御方法に関する。
【背景技術】
【０００２】
携帯電話やＰＤＡ（Personal Digital Assistant：個人情報端末）などの携帯端末装置に備えられるアラーム機能を、日常的に目覚まし時計として使用するユーザが増加している。このようにアラーム機能を利用するユーザの利便性を向上させるべく、例えば特許文献１には、天候や交通に関する情報を取得し、気象、気圧、交通などの条件に応じて目覚ましタイマーを設定時刻より早く作動させることが記載されている。
【先行技術文献】
【特許文献】
【０００３】
【特許文献１】特開２００４−２７４５６３号公報
【発明の概要】
【発明が解決しようとする課題】
【０００４】
しかしながら、特許文献１に記載されている天候や交通などの条件に応じてアラーム機能を設定時刻より早く作動させる装置では、ユーザにとって必ずしも利便性が向上するとはいえない。例えば、たとえ天候や交通などの外部情報に基づきアラームの設定時刻が変更されたとしても、ユーザの就寝時刻や寝起きの良し悪しの傾向などユーザ個々の状態によっては、結局はユーザがアラームに気付かずに寝過ごす場合が考えられる。
【０００５】
本発明は、上記の問題を解決するためになされたものであり、アラーム機能の利便性を向上させることができる端末装置及びアラーム制御方法を提供することを目的とする。
【課題を解決するための手段】
【０００６】
上述の課題を解決するため、本発明に係る端末装置は、アラーム機能を備える端末装置において、アラーム機能を実行するための所与のアラーム設定情報に基づくアラーム機能の起動を設定する設定手段と、当該端末装置の操作履歴として、アラーム機能の操作履歴に関する情報と、設定手段によるアラーム機能の起動の設定後からの当該端末装置のアプリケーションの操作履歴に関する情報を取得する取得手段と、アラーム設定情報を、取得手段により取得された操作履歴に応じて変更する変更手段と、変更手段により変更されたアラーム設定情報に基づきアラーム機能の実行を制御する制御手段と、を有し、変更手段は、アラーム機能の操作履歴が設定変更条件を満たす場合、アラーム設定情報に対してアラーム音量を上げる変更をし、前記アラーム機能の操作履歴に関する情報が設定変更条件を満たさない場合、アラーム設定情報の変更をせず、その後、アラーム機能の操作履歴に関する情報が設定変更条件を満たす場合であり且つアプリケーションの操作履歴に基づいたアプリケーション操作の最終時刻とアラーム時刻との時間差が第１条件に合致する場合、アラーム音量を上げた状態を維持し、アラーム機能の操作履歴に関する情報が設定変更条件を満たす場合であり且つアプリケーションの操作履歴に基づいたアプリケーション操作の最終時刻とアラーム時刻との時間差が第２条件に合致する場合、アラーム音量を下げる変更をし、アラーム機能の操作履歴に関する情報が設定変更条件を満たさない場合であり且つアプリケーションの操作履歴に基づいたアプリケーション操作の最終時刻とアラーム時刻との時間差が所定時間以内である場合、アラーム設定情報に対してアラーム音量を上げる変更又はアラーム音の種別の変更をすることを特徴とする。
【０００７】
同様に、上記課題を解決するため、本発明に係るアラーム制御方法は、アラーム機能を備える端末装置によるアラーム制御方法であって、アラーム機能を実行するための所与のアラーム設定情報に基づく前記アラーム機能の起動を設定する設定ステップと、当該端末装置の操作履歴として、アラーム機能の操作履歴に関する情報と、設定ステップによるアラーム機能の起動の設定後からの当該端末装置のアプリケーションの操作履歴に関する情報とを取得する取得ステップと、アラーム設定情報を、取得ステップにおいて取得された操作履歴に応じて変更する変更ステップと、変更ステップにおいて変更されたアラーム設定情報に基づきアラーム機能の実行を制御する制御ステップと、を含み、変更ステップは、アラーム機能の操作履歴に関する情報が設定変更条件を満たす場合、アラーム設定情報に対してアラーム音量を上げる変更をし、アラーム機能の操作履歴に関する情報が設定変更条件を満たさない場合、アラーム設定情報の変更をせず、その後、アラーム機能の操作履歴に関する情報が設定変更条件を満たす場合であり且つアプリケーションの操作履歴に基づいたアプリケーション操作の最終時刻とアラーム時刻との時間差が第１条件に合致する場合、アラーム音量を上げた状態を維持し、アラーム機能の操作履歴に関する情報が設定変更条件を満たす場合であり且つアプリケーションの操作履歴に基づいたアプリケーション操作の最終時刻とアラーム時刻との時間差が第２条件に合致する場合、アラーム音量を下げる変更をし、アラーム機能の操作履歴に関する情報が設定変更条件を満たさない場合であり且つアプリケーションの操作履歴に基づいたアプリケーション操作の最終時刻とアラーム時刻との時間差が所定時間以内である場合、アラーム設定情報に対してアラーム音量を上げる変更又はアラーム音の種別の変更をすることを特徴とする。
【０００８】
このような端末装置及びアラーム制御方法によれば、端末装置の操作履歴に応じてアラーム設定情報が変更され、この変更されたアラーム設定情報に基づきアラーム機能が実行される。このため、端末装置の操作履歴により端末装置のユーザの状態を把握することができ、ユーザ状態を考慮してアラーム設定を適宜変更してアラーム機能を実行することが可能となり、この結果、アラーム機能の利便性を向上させることができる。
【発明の効果】
【００１２】
本発明に係る端末装置及びアラーム制御方法によれば、アラーム機能の利便性を向上させることができる。
【図面の簡単な説明】
【００１３】
【図１】本発明の一実施形態に係る携帯電話の機能ブロック図である。
【図２】アラーム設定情報テーブルの構成の一例を示す図である。
【図３】アラーム操作パターンテーブルの構成の一例を示す図である。
【図４】設定変更条件テーブルの構成の一例を示す図である。
【図５】本実施形態の携帯電話において実行される処理を示すフローチャートである。
【発明を実施するための形態】
【００１４】
以下、図面を参照しながら本発明の実施形態を詳細に説明する。なお、図面の説明において同一又は同等の要素には同一の符号を付し、重複する説明を省略する。
【００１５】
図１は、本発明の一実施形態に係る携帯電話（端末装置）１０の機能ブロック図である。携帯電話１０は、アラーム機能を備え、特に本実施形態では、携帯電話１０の操作履歴に応じてアラーム機能の設定が適宜変更される。なお、本実施形態では、「操作履歴」とは、携帯電話１０のユーザによるアプリケーション操作、または過去のアラーム機能の作動時におけるアラーム操作パターンなどを指すものとする。
【００１６】
携帯電話１０は、物理的には、ＣＰＵ（Central Processing Unit）、主記憶装置であるＲＡＭ（Random Access Memory）及びＲＯＭ（Read Only Memory）、入力デバイスである入力キー等の操作部、ディスプレイ、無線通信部などを有する端末装置として構成されている。後述する携帯電話１０の各機能は、ＣＰＵ、ＲＡＭ等のハードウェア上に所定のコンピュータソフトウェアを読み込ませることにより、ＣＰＵの制御のもとで操作部、ディスプレイ、無線通信部を動作させるとともに、ＲＡＭやＲＯＭにおけるデータの読み出し及び書き込みを行うことで実現される。
【００１７】
図１に示すように、携帯電話１０は、アラーム設定情報テーブル１１、アラーム操作パターンテーブル１２、設定変更条件テーブル１３、アラーム設定情報入力部（設定手段）１４、アラーム操作パターン取得部（取得手段）１５、端末操作監視部（取得手段）１６、アラーム設定変更部（変更手段）１７、アラーム制御部（制御手段）１８、アラーム１９、及び入力操作部２０を備えて構成されている。
【００１８】
アラーム設定情報テーブル１１は、アラーム１９の機能を実行するためのアラーム設定情報を保持している。アラーム設定情報とは、具体的には、例えば図２に示すように、アラームの起動時刻を示す「アラーム時刻」、アラームの音量を例えば所定の複数レベル（例えば５段階）で示す「アラーム音量」、スヌーズ機能のオン／オフを示す「スヌーズ設定」、アラーム音の種類を示す「アラーム音」を含んで構成される。ここで、スヌーズ機能とは、アラームを一旦停止しても、所定の解除操作をしない限りしばらく経つとアラームが再度鳴動する機能をいう。
【００１９】
アラーム設定情報テーブル１１に保持されるアラーム設定情報は、後述するアラーム設定情報入力部１４により、新たにアラーム機能の起動が設定された場合に、このアラーム機能に関するアラーム設定情報を用いて更新される。さらに、アラーム設定情報テーブル１１は、後述するアラーム設定変更部１７により、所定の条件を満たす場合に、保持されているアラーム設定情報を構成する情報（アラーム時刻、アラーム音量、スヌーズ設定、アラーム音）の少なくとも一部が変更される。これらの処理の詳細については後述する。
【００２０】
アラーム操作パターンテーブル１２は、前回のアラーム起動時の操作内容をアラーム操作パターンとして保持している。アラーム操作パターンとは、具体的には、例えば図３に示すように、アラームが停止するまでに掛かった時間（例えば秒）を示す「アラーム鳴動時間」、及びスヌーズ機能を何回起動してから完全停止したかを示す「スヌーズ回数」を含んで構成される。
【００２１】
アラーム操作パターンテーブル１２に保持されるアラーム操作パターンは、後述するアラーム制御部１８により、ユーザのアラーム停止操作が検出されるごとに更新される。
【００２２】
設定変更条件テーブル１３は、アラーム設定情報テーブルに保持されているアラーム設定情報を変更するための「設定変更条件」を定義する部分である。設定変更条件とは、具体的には、図４に示すように、アラームの起動時刻までのアプリケーション操作履歴や、上述のアラーム操作パターンの内容に応じて定義される、アラーム設定情報の変更可否を判別するための条件である。図４の例では、アラーム起動前にアプリケーションを最後に操作した最終時刻と、アラーム設定情報で設定されたアラーム時刻との時間差が３時間以内、４時間以内、５時間以内との設定変更条件が定義されており、また、アラーム操作パターンのうちアラーム鳴動時間が３０秒以上、スヌーズ回数が３回以上という設定変更条件が定義されている。
【００２３】
そして、設定変更条件テーブル１３には、設定変更条件ごとに、アラーム設定情報の各要素であるアラーム時刻、アラーム音量、スヌーズ設定、アラーム音をどのように変更するかを示す変更内容が要素ごとに定義されている。図４の例では、例えば端末操作の最終時刻と、アラーム設定時刻との時間差が３時間以内である場合には、この設定変更条件を満たすので、アラーム時刻を１０分早め（図４には「−１０」と表記）、アラーム音量を最大（図４には「ＭＡＸ」と表記）、スヌーズ設定をオンにして、アラーム音を特殊音（例えば目覚まし効果を高めるような所与の音パターン）に変更する。
【００２４】
また、端末操作の最終時刻と、アラーム設定時刻との時間差が４〜５時間である場合には、図４の「５時間以内」の設定変更条件を満たすので、アラーム時刻を３分早め（図４には「−３」と表記）、アラーム音量をレベル４（ここでは、音量レベルを５段階とした場合の上から２番目の音量レベルを指すものとする。図４には「４」と表記）、スヌーズ設定をオンに変更する。
【００２５】
また、アラーム操作パターンのアラーム鳴動時間が３０秒以上の場合には、図４の「鳴動時間３０秒以上」の設定変更条件を満たすので、アラーム音量を最大とし、スヌーズ設定をオンに変更する。
【００２６】
アラーム設定情報入力部１４は、ユーザのアラーム設定操作により入力操作部２０を介して入力されたアラーム設定情報を受信する部分である。アラーム設定情報入力部１４は、アラーム設定操作によりアラーム機能の起動が設定されてアラームがアクティブになり、このアラーム機能に関するアラーム設定情報を受信すると、この受信したアラーム設定情報でアラーム設定情報テーブル１１を更新すると共に、アラーム操作パターン取得部１５及び端末操作監視部１６に対して、携帯電話１０のアラーム機能の起動が設定されアラーム設定情報が受信されたことを通知する。なお、ユーザによるアラーム設定情報の入力操作は、操作部を介して新たに設定値を入力してもよいし、携帯電話１０内に予め保持されている設定値から選択してもよい。
【００２７】
アラーム操作パターン取得部１５は、アラーム設定情報入力部１４からのアラーム設定情報を受信した通知に応じて、アラーム操作パターンテーブル１２から、前回のアラーム起動時のアラーム操作パターン（操作履歴）を取得し、これをアラーム設定変更部１７に送信する。
【００２８】
端末操作監視部１６は、アラーム設定情報入力部１４からのアラーム設定情報を受信した通知に応じて、携帯電話１０のユーザによるアプリケーション操作履歴を監視する。具体的には、アラーム設定情報入力部１４によるアラーム設定情報の受信後に、入力操作部２０を介してアプリケーション操作を検知することにより、メールアプリケーションを利用したメール送信時刻、Ｗｅｂブラウザアプリケーションを利用したＷｅｂアクセス時刻、そのほかのアプリケーションの利用時刻などをアプリケーション操作履歴として監視する。そして、これらのアプリケーション操作履歴のうち最も遅い時刻と、アラーム設定情報で設定されるアラーム時刻との時間差を算出し、これを時間差情報（操作履歴）としてアラーム設定変更部１７に送信する。
【００２９】
アラーム設定変更部１７は、アラーム操作パターン取得部１５から受信するアラーム操作パターン、及び端末操作監視部１６から受信する時間差情報に基づいて、設定変更条件テーブル１３を参照して、アラーム設定情報を変更するか否かを判定する。具体的には、アラーム設定変更部１７は、設定変更条件テーブル１３においてアラム操作パターンまたは時間差情報に応じて定義される設定変更条件（図４参照）のいずれかを満たすときに、アラーム設定情報を変更すると判定する。アラーム判定情報を変更すると判定した場合には、設定変更条件テーブル１３に定義される変更内容にしたがって、アラーム設定情報テーブル１１に保持されているアラーム設定情報を変更する。
【００３０】
アラーム制御部１８は、アラーム設定情報テーブル１１に保持されているアラーム設定情報に基づいてアラーム１９の動作を制御する部分である。また、アラーム起動後には、入力操作部２０を介してユーザのアラーム停止操作を検知すると、アラームを停止すると共に、今回のアラーム動作におけるアラーム鳴動時間及びスヌーズ回数を新たなアラーム操作パターンとしてアラーム操作パターンテーブル１２を更新する。
【００３１】
入力操作部２０は、テンキーやボタンなどのハードウェアの操作部を介してユーザの入力操作を検知する部分である。本実施形態では、アラーム設定情報の入力操作、端末のアプリケーションの操作、アラーム停止操作を検知する。
【００３２】
次に、図５に示すフローチャートを用いて、本実施形態の携帯電話１０において実行される処理を説明すると共に、本実施形態に係るアラーム制御方法について説明する。図５は、本実施形態の携帯電話１０において実行される処理を示すフローチャートである。
【００３３】
まず、アラーム設定情報入力部１４により、アラーム機能の起動設定に伴い入力されたアラーム設定情報が受信される（Ｓ１０１）。アラーム設定情報入力部１４は、この受信したアラーム設定情報でアラーム設定情報テーブル１１を更新すると共に、アラーム設定情報が受信された旨をアラーム操作パターン取得部１５及び端末操作監視部１６に通知する。
【００３４】
次に、アラーム操作パターン取得部１５により、アラーム操作パターンテーブル１２から前回のアラーム起動時におけるアラーム操作パターンが取得され、アラーム設定変更部１７に送信される（Ｓ１０２：取得ステップ）。
【００３５】
アラーム設定変更部１７により、アラーム操作パターン取得部１５から受信したアラーム操作パターンのアラーム鳴動時刻及びスヌーズ回数の情報を利用して、設定変更条件テーブル１３を参照し、アラーム操作パターンがアラーム設定情報の設定変更条件を満たすか否かが判定される（Ｓ１０３）。
【００３６】
アラーム操作パターンが設定変更条件を満たす場合には、設定変更条件テーブル１３に定義されるアラーム操作パターンに応じた変更内容に基づきアラーム設定情報テーブルに保持されているアラーム設定情報が変更され（Ｓ１０４：変更ステップ）、ステップＳ１０５に移行する。アラーム操作パターンが設定変更条件を満たさない場合には、ステップＳ１０４の処理は行わずにステップＳ１０５に移行する。
【００３７】
次に、端末操作監視部１６により、携帯電話１０のアプリケーション操作履歴が監視され（Ｓ１０５）、これらの操作履歴のうちアラーム起動前のアプリケーション操作の最終時刻が取得されると、この最終時刻とアラーム設定情報のアラーム時刻との時間差が算出され（Ｓ１０６：取得ステップ）、これが時間差情報としてアラーム設定変更部１７に送信される。
【００３８】
次に、アラーム設定変更部１７により、端末操作監視部１６から受信した時間差情報を利用して、設定変更条件テーブル１３を参照し、この時間差情報がアラーム設定情報の設定変更条件を満たすか否かが判定される（Ｓ１０７）。
【００３９】
時間差情報がアラーム設定情報の変更条件を満たす場合には、設定変更条件テーブル１３に定義される時間差情報に応じた変更内容に基づきアラーム設定情報テーブルに保持されているアラーム設定情報が変更され（Ｓ１０８：変更ステップ）、ステップＳ１０９に移行する。アラーム操作パターンが設定変更条件を満たさない場合には、ステップＳ１０８の処理は行わずにステップＳ１０９に移行する。
【００４０】
そして、アラーム制御部１８により、アラーム設定情報テーブル１１に保持されており、場合に応じてアラーム設定変更部１７により変更されたアラーム設定情報に基づいて、アラーム１９の動作が制御される（Ｓ１０９：制御ステップ）。入力操作部２０を介してユーザのアラーム停止操作を検知すると、アラーム制御部１８は、今回のアラーム動作におけるアラーム鳴動時間及びスヌーズ回数を新たなアラーム操作パターンとしてアラーム操作パターンテーブル１２を更新する（Ｓ１１０）。
【００４１】
以上に説明したように、本実施形態に係る携帯電話１０及びアラーム制御方法によれば、アラーム操作パターン取得部１５及び端末操作監視部１６が当該携帯電話１０の操作履歴を取得し、アラーム設定変更部１７が、アラーム機能を実行するための所与のアラーム設定情報を、この操作履歴に応じて変更する。そして、アラーム制御部１８は、アラーム設定変更部１７により変更されたアラーム設定情報に基づきアラーム機能の実行を制御する。
【００４２】
このような構成により、携帯電話１０の操作履歴に応じてアラーム設定情報が変更され、この変更されたアラーム設定情報に基づきアラーム機能が実行されるので、携帯電話１０の操作履歴により携帯電話１０のユーザの状態を把握することができる。したがって、ユーザ状態を考慮してアラーム設定を適宜変更してアラーム機能を実行することが可能となり、アラーム機能の利便性を向上させることができる。
【００４３】
また、「操作履歴」には、アラーム設定情報入力部１４によるアラーム機能の起動の設定後からの当該携帯電話１０のアプリケーションの操作履歴に関する情報（時間差情報）が含まれるので、アラーム機能の起動が設定された後のアプリケーションの操作履歴に基づいて、例えばユーザの就寝時刻など今回のアラーム機能の実行時のみに特有のユーザ状態を把握することが可能となる。したがって、アラーム実行時のユーザの状態を精度良く考慮してアラーム設定を変更することが可能となり、アラーム機能の利便性をより一層向上させることができる。
【００４４】
また、「操作履歴」には、アラーム機能の操作履歴に関する情報（アラーム操作パターン）が含まれるので、アラーム機能の操作履歴に基づいて、例えばユーザの寝起きの良し悪しなどユーザ固有の性質を考慮してアラーム設定を変更することが可能となり、アラーム機能の利便性をより一層向上させることができる。
【００４５】
以上、本発明に係る端末装置及びアラーム設定方法について好適な実施形態を挙げて説明したが、本発明は上記実施形態に限られるものではない。例えば、上記実施形態では端末装置の一例として携帯電話を例示したが、本発明は、ＰＤＡ（Personal Digital Assistant：個人情報端末）やパーソナルコンピュータなどアラーム機能を備えることが可能な他種の端末装置にも適用可能である。
【００４６】
また、アラーム設定変更部１７がアラーム設定情報の変更可否判断のために参照する操作履歴は、アラーム操作パターン取得部１５のアラーム操作パターンまたは端末操作監視部１６のアプリケーション操作履歴のうちいずれか一方でもよい。
【００４７】
また、アラーム操作パターンは、上記実施形態のように前回のアラームの作動時のみの情報だけでなく、例えば過去の複数回の操作パターンを解析した結果（例えば平均値など）を適用することも可能である。
【符号の説明】
【００４８】
１０…携帯電話（端末装置）、１１…アラーム設定情報テーブル、１２…アラーム操作パターンテーブル、１３…設定変更条件テーブル、１４…アラーム設定情報入力部（設定手段）、１５…アラーム操作パターン取得部（取得手段）、１６…端末操作監視部（取得手段）、１７…アラーム設定変更部（変更手段）、１８…アラーム制御部（制御手段）、１９…アラーム、２０…入力操作部。
【図１】
0005559525.tif 000002
【図２】
0005559525.tif 000003
【図３】
0005559525.tif 000004
【図４】
0005559525.tif 000005
【図５】
0005559525.tif 000006